(57)【特許請求の範囲】
【請求項１】
ワイヤレスソフト基地局におけるＢＢＵフレーム間のデータインタラクションの方法であって、
同一の物理的位置に置かれた各ＢＢＵが自身の交換モジュールに設置された光インタフェースを介してそれぞれ対応する複数のラジオリモートユニット（ＲＲＵ）を接続して複数のＢＢＵフレームを形成し、各ＢＢＵフレームが隣接するＢＢＵフレームと相互接続できるように、前記形成された複数のＢＢＵフレームの各相互接続光インタフェースを順次接続してＢＢＵフレーム間の共有のアップリンクＩＱデータ、ダウンリンクＩＱデータ及びクロック同期情報を転送するためのＢＢＵリングネットワークを形成するステップと、
前記ＢＢＵリングネットワークにおける各ＢＢＵフレームが隣接するＢＢＵフレームからのベースバンドダウンリンクＩＱデータに対して転送マッピング処理を行った後、本ＢＢＵフレームのＲＲＵの光インタフェースに対応するロジック通路にマッピングし、本ＢＢＵフレームのＲＲＵによってダウンリンク処理を行うステップと、
前記各ＢＢＵフレームが本ＢＢＵフレームのＲＲＵのロジック通路のアップリンクＩＱデータに対して転送マッピング処理を行った後、隣接するＢＢＵフレームに転送してアップリンク処理を行うように本ＢＢＵフレームの相互接続光インタフェースに対応するロジック通路にマッピングするステップとを含むことを特徴とする方法。
【請求項２】
前記各ＢＢＵフレームは、本ＢＢＵフレームのロジック通路のベースバンドダウンリンクＩＱデータに対してダウンリンク遅延処理を行い、本ＢＢＵフレームのロジック通路のベースバンドダウンリンクＩＱデータと、隣接するＢＢＵフレームからのベースバンドダウンリンクＩＱデータと、をアライメントするステップを更に含むことを特徴とする
請求項１に記載の方法。
【請求項３】
ダウンリンク遅延処理を行う場合、使用される、本ＢＢＵフレームのベースバンドダウンリンクＩＱデータを遅延するためのダウンリンク遅延値は、隣接するＢＢＵフレームからのベースバンドダウンリンクＩＱデータが、光インタフェースフレーミング、光ファイバ伝送、光インタフェースデフレーミングおよび転送ルーティング処理を行うことに用いられる時間の合計値に等しいことを特徴とする
請求項２に記載の方法。
【請求項４】
前記各ＢＢＵフレームが本ＢＢＵフレームのＲＲＵのロジック通路のアップリンクＩＱデータに対してアップリンク遅延処理を行う場合、本ＢＢＵフレームのロジック通路のアップリンクＩＱデータと、隣接するＢＢＵフレームからのアップリンクＩＱデータと、をアライメントするステップを更に含むことを特徴とする
請求項１に記載の方法。
【請求項５】
アップリンク遅延処理を行う場合、使用される、本ＢＢＵフレームのアップリンクＩＱデータを遅延するためのアップリンク遅延値は、隣接するＢＢＵフレームからのアップリンクＩＱデータが、光インタフェースデフレーミング、転送ルーティング、光ファイバ伝送および光インタフェースフレーミング処理を行うことに用いられる時間の合計値に等しいことを特徴とする
請求項４に記載の方法。
【請求項６】
前記ＢＢＵリングネットワークに、マスタースレーブ同期モードで前記ＢＢＵリングネットワークにおけるすべてのＢＢＵフレームのクロック同期を実現するステップを更に含むことを特徴とする
請求項１乃至５のいずれか１項に記載の方法。
【請求項７】
前記マスタースレーブ同期モードは、サービススケジューリングトータルコントロールセンターが存在するＢＢＵフレームをマスタークロックフレームとし、他のＢＢＵフレームをスレーブクロックフレームとすることを含み、前記サービススケジューリングトータルコントロールセンターは、ＢＢＵクラスターのクロックトポロジーへの管理及び維持を担うことを特徴とする
請求項６に記載の方法。
【請求項８】
マスタースレーブ同期モードで前記ＢＢＵリングネットワークにおけるすべてのＢＢＵフレームのクロック同期を実現することは、
前記マスタークロックフレームと前記スレーブクロックフレームが相互接続光ファイバを介してフレームヘッダ、フレーム番号および補助情報が含まれるクロック同期情報を転送し、
各スレーブクロックフレームが本ＢＢＵフレームと隣接するＢＢＵフレームのフレームヘッダ、フレーム番号情報に対して位相識別を行い、本ＢＢＵフレームと隣接するＢＢＵフレームのフレーム同期、フレーム番号の差異を測定し、そして前記補助情報を利用して本ＢＢＵフレームのクロック同期を完了することを含むことを特徴とする
請求項７に記載の方法。
【請求項９】
ワイヤレスソフト基地局におけるＢＢＵフレーム間のデータインタラクションの装置であって、
各ＢＢＵフレームに設置され、隣接するＢＢＵフレームを順次接続し、ＢＢＵフレーム間の共有のアップリンクＩＱデータ、ダウンリンクＩＱデータ及びクロック同期情報を転送するためのＢＢＵリングネットワークを形成するための相互接続光インタフェースと、
各ＢＢＵフレームに設置され、前記相互接続光インタフェースを介して送信される隣接するＢＢＵフレームのベースバンドダウンリンクＩＱデータに対して転送マッピング処理を行った後、本ＢＢＵフレームのＲＲＵによってダウンリンク処理を行うように本ＢＢＵフレームのＲＲＵの光インタフェースに対応するロジック通路にマッピングするためのベースバンドダウンリンクＩＱデータ転送マッピングモジュールと、
各ＢＢＵフレームに設置され、本ＢＢＵフレームのＲＲＵに対応するロジック通路のアップリンクＩＱデータに対して転送マッピング処理を行った後、隣接するＢＢＵフレームに転送してアップリンク処理を行うように前記相互接続光インタフェースに対応するロジック通路にマッピングするためのアップリンクＩＱデータ転送マッピングモジュールと、を備え、
ここで、同一の物理的位置に置かれた各ＢＢＵが自身の交換モジュールに設置された光インタフェースを介してそれぞれ対応する複数のラジオリモートユニット（ＲＲＵ）を接続して複数のＢＢＵフレームを形成する装置。
【請求項１０】
各ＢＢＵフレームに設置され、本ＢＢＵフレームのロジック通路のベースバンドダウンリンクＩＱデータを遅延し、本ＢＢＵフレームのロジック通路のベースバンドダウンリンクＩＱデータと、隣接するＢＢＵフレームからのベースバンドダウンリンクＩＱデータと、をアライメントするためのベースバンドダウンリンクＩＱデータ遅延モジュールと、
各ＢＢＵフレームに設置され、本ＢＢＵフレームのＲＲＵのロジック通路のアップリンクＩＱデータを遅延し、本ＢＢＵフレームのロジック通路のアップリンクＩＱデータと、隣接するＢＢＵフレームからのアップリンクＩＱデータと、をアライメントするためのアップリンクＩＱデータ遅延モジュールと、を更に備えることを特徴とする
請求項９に記載の装置。
【請求項１１】
各ＢＢＵフレームの相互接続光インタフェースに設置され、前記ＢＢＵリングネットワークに、マスタースレーブ同期モードで前記ＢＢＵリングネットワークにおけるすべてのＢＢＵフレームのクロック同期を実現するためのクロック情報解析及び比較モジュールを更に備えることを特徴とする
請求項９または１０に記載の装置。
【発明の詳細な説明】
【技術分野】
【０００１】
本発明は、無線通信におけるソフト基地局のビルディングベースバンド処理ユニット（ＢＢＵ：Ｂｕｉｌｄｉｎｇ  Ｂａｓｅ  ｂａｎｄ  Ｕｎｉｔ）フレーム間のリソースの共有技術領域に関し、特に、ワイヤレスソフト基地局におけるＢＢＵフレーム間のデータインタラクション（Ｄａｔａ  ｉｎｔｅｒａｃｔｉｏｎ）の方法及び装置に関する。
【背景技術】
【０００２】
無線通信システムが数年間にわたって成長しており、遠隔無線技術に基づいて、複数種のモードをサポートするソフト基地局は、すでに無線基地局の発展主流となっている。しかしながら、従来のソフト基地局の配置において、ＢＢＵフレームは、互いに分離し、各領域内に隔離される単一のＢＢＵ内のベースバンドリソース及び処理能力は、限られていた。
【０００３】
現在の無線通信サービスの益々の成長とデータ量の徐々な増大に伴い、単一領域内の基地局システムに要求される処理可能なデータ量は、ますます大きくなるとともに、通信サービスにおける固有の潮汐現象などの負荷不均一が、既存の基地局の配置形態に対する課題となっている。
【０００４】
ＢＢＵフレームを相互に接続して処理クラウドを形成することにより、既存の単一のＢＢＵのベースバンド容量を拡張し、設備の利用レベル及び処理能力を高めることができ、各種の複雑な（混合）ネットワーキング需要への対処に利便性を与える。
【０００５】
同時に、従来の複数の基地局に対する管理作業を１つの基地局に合併して配置及び管理を行って、事業者の構築と運営及び維持コストを大幅に低下させ、維持及び管理に利便性を与える。
【発明の概要】
【発明が解決しようとする課題】
【０００６】
上記従来技術の問題を解決するため、本発明の目的は、ワイヤレスソフト基地局におけるＢＢＵフレーム間のデータインタラクションの方法を提供することにある。
【０００７】
本発明の別の目的は、上記の方法を実現する装置を提供することにある。
【課題を解決するための手段】
【０００８】
本願の第一の態様に係るワイヤレスソフト基地局におけるＢＢＵフレーム間のデータインタラクションの方法は、
複数のＢＢＵフレームの各相互接続光インタフェースを順次接続して、ＢＢＵリングネットワークを形成するステップと、
前記ＢＢＵリングネットワークにおける各ＢＢＵフレームが隣接するＢＢＵフレームからのベースバンドダウンリンクＩＱデータに対して転送マッピング処理を行った後、本ＢＢＵフレームのＲＲＵによってダウンリンク処理を行うように本ＢＢＵフレームのＲＲＵの光インタフェースに対応するロジック通路にマッピングするステップと、
前記各ＢＢＵフレームが本ＢＢＵフレームのＲＲＵのロジック通路のアップリンクＩＱデータに対して転送マッピング処理を行った後、隣接するＢＢＵフレームに転送してアップリンク処理を行うように本ＢＢＵフレームの相互接続光インタフェースに対応するロジック通路にマッピングするステップとを含む。
【０００９】
本発明の方法は、各前記ＢＢＵフレームが隣接するＢＢＵフレームのＲＲＵからのアップリンクＩＱデータをアップリンクしてマッピング処理を行った後、本ＢＢＵフレームのベースバンド処理モジュールに送信してアップリンクデータ処理を行うステップと、前記各ＢＢＵフレームが本ＢＢＵフレームのベースバンド処理モジュールから送信されたロジック通路のベースバンドダウンリンクＩＱデータを、隣接するＢＢＵフレームに送信して処理するステップとを更に含むことができる。
【００１０】
本発明の方法は、前記各ＢＢＵフレームが本ＢＢＵフレームのロジック通路のベースバンドダウンリンクＩＱデータに対してダウンリンク遅延処理を行い、本ＢＢＵフレームのロジック通路のベースバンドダウンリンクＩＱデータと、隣接するＢＢＵフレームからのベースバンドダウンリンクＩＱデータと、をアライメントするステップとを更に含む。
【００１１】
ここで、ダウンリンク遅延処理を行う場合、使用される、本ＢＢＵフレームのベースバンドダウンリンクＩＱデータを遅延するためのダウンリンク遅延値は、隣接するＢＢＵフレームからのベースバンドダウンリンクＩＱデータが、光インタフェースフレーミング、光ファイバ伝送、光インタフェースデフレーミングおよび転送ルーティング処理を行うことに用いられる時間の合計値に等しい。
【００１２】
本発明の方法は、前記各ＢＢＵフレームが本ＢＢＵフレームのＲＲＵのロジック通路のアップリンクＩＱデータに対してアップリンク遅延処理を行う場合、本ＢＢＵフレームのロジック通路のアップリンクＩＱデータと、隣接するＢＢＵフレームからのアップリンクＩＱデータと、をアライメントするステップとを含む。
【００１３】
ここで、アップリンク遅延処理を行う場合、使用される、本ＢＢＵフレームのアップリンクＩＱデータを遅延するためのアップリンク遅延値は、隣接するＢＢＵフレーからのアップリンクＩＱデータが、光インタフェースデフレーミング、転送ルーティング、光ファイバ伝送および光インタフェースフレーミング処理を行うことに用いられる時間の合計値に等しい。
【００１４】
ここで、当該方法は、前記ＢＢＵリングネットワークにおいて、マスタースレーブ同期モードで前記ＢＢＵリングネットワークにおけるすべてのＢＢＵフレームのクロック同期を実現するステップを更に含む。
【００１５】
ここで、前記マスタースレーブ同期モードは、サービススケジューリングトータルコントロールセンター（ＣＭＣＰ）の存在するＢＢＵフレームをマスタークロックフレームとし、他のＢＢＵフレームをスレーブクロックフレームとすることを含む。
【００１６】
ここで、マスタースレーブ同期モードで前記ＢＢＵリングネットワークにおけるすべてのＢＢＵフレームのクロック同期を実現することは、
前記マスターククロックフレームとスレーブクロックフレームが相互接続光ファイバを介して前記マスタークロックフレームと前記フレームヘッダ、フレーム番号および補助情報が含まれるクロック同期情報を伝送し、
各スレーブクロックフレームが本ＢＢＵフレームと隣接するＢＢＵフレームのフレームヘッダ、フレーム番号情報に対して位相識別を行い、本ＢＢＵフレームと隣接するＢＢＵフレームのフレーム同期、フレーム番号の差異を測定することで、前記補助情報を利用して本ＢＢＵフレームのクロック同期を完了することを含む。
【００１７】
ここで、各ＢＢＵフレームは、本ＢＢＵフレームのフレームヘッダパルスと、隣接するＢＢＵフレームのフレームヘッダパルスの間のビート間隔を比較し、隣接するＢＢＵフレームのアップリンク及びダウンリンク通路のＩＱデータと、本ＢＢＵフレームのアップリンク及びダウンリンク通路のＩＱデータとの相対遅延を測定することで、前記ダウンリンク遅延値と前記アップリンク遅延値を確定する。
【００１８】
本発明の第二の態様に係るワイヤレスソフト基地局におけるＢＢＵフレーム間のデータインタラクションの装置は、
各ＢＢＵフレームに設置され、隣接するＢＢＵフレームを接続し、ＢＢＵリングネットワークを形成するための相互接続光インタフェースと、
各ＢＢＵフレームに設置され、前記相互接続光インタフェースを介して送信される隣接するＢＢＵフレームのベースバンドダウンリンクＩＱデータに対して転送マッピング処理を行った後、本ＢＢＵフレームのＲＲＵによってダウンリンク処理を行うように本ＢＢＵフレームのＲＲＵの光インタフェースに対応するロジック通路にマッピングするためのベースバンドダウンリンクＩＱデータ転送マッピングモジュールと、
各ＢＢＵフレームに設置され、本ＢＢＵフレームのＲＲＵのロジック通路のアップリンクＩＱデータに対して転送マッピング処理を行った後、隣接するＢＢＵフレームに転送してアップリンク処理を行うように前記相互接続光インタフェースに対応するロジック通路にマッピングするためのアップリンクＩＱデータ転送マッピングモジュールと、を備える。
【００１９】
本発明の上記の装置は、各ＢＢＵフレームに設置され、本ＢＢＵフレームのロジック通路のベースバンドダウンリンクＩＱデータを遅延し、本ＢＢＵフレームのロジック通路のベースバンドダウンリンクＩＱデータと、隣接するＢＢＵフレームからのベースバンドダウンリンクＩＱデータと、をアライメントするためのベースバンドダウンリンクＩＱデータ遅延モジュールと、
各ＢＢＵフレームに設置され、本ＢＢＵフレームのＲＲＵのロジック通路のアップリンクＩＱデータを遅延し、本ＢＢＵフレームのロジック通路のアップリンクＩＱデータと、隣接するＢＢＵフレームからのアップリンクＩＱデータと、をアライメントするためのアップリンクＩＱデータ遅延モジュールと、を更に備える。
【００２０】
本発明の上記の装置は、各ＢＢＵフレームの相互接続光インタフェースに設置され、前記ＢＢＵリングネットワークにマスタースレーブ同期モードで前記ＢＢＵリングネットワークにおけるすべてのＢＢＵフレームのクロック同期を実現するためのクロック情報解析及び比較モジュールを更に備える。
【発明の効果】
【００２１】
従来技術に対して、本発明は、ＢＢＵフレーム間の無線フレーム同期とアップリンク及びダウンリンクデータの交換を実現して、複数のサイトの合併配置と管理のために基礎を提供することができ、マルチモードのＢＢＵフレームにおける既存の交換モジュールの処理ロジックに基づいてロジックとソフトウェアをアップグレードすることで、余分なボードハードウェアリソースを占有することなく、フレーム間の情報の同期とベースバンドリソース共有を実現することができる。
【図面の簡単な説明】
【００２２】
【図１】本発明に係るＢＢＵ  相互接続（クラスター）システムの応用場合を示す図である。
【図２】本発明に係るＢＢＵ  相互接続（クラスター）のフレーム間の接続状況を示す図である。
【図３】本発明に係るワイヤレスソフト基地局におけるＢＢＵフレーム間の同期とデータインタラクションの方法を示す図である。
【図４】本発明に係る図３に示す方法を実現する装置を示す図である。
【図５】本発明におけるシングルフレームまたは相互接続の場合での交換モジュールのルーティングを示す図である。
【図６】図５に示す交換モジュールのルーティングの実施形態を示す図である。
【図７】本発明に係るＢＢＵ相互接続システムにおけるクロック、ＩＱデータ及び付加情報伝送を示す図である。
【発明を実施するための形態】
【００２３】
ここで記載する図面は、本発明に対するさらなる理解を提供するためのものであり、本発明の一部を構成し、本発明の例示的な実施形態及びその説明は、本発明を解釈するためのものであり、本発明に対する不当な限定を構成するものではない。
【００２４】
本発明が解決しようとする技術的問題、技術的スキーム及び有益な効果がより明確になるために、以下に図面と実施形態を参照して、本発明を更に詳しく説明する。ここで記載する具体的な実施形態は、本発明を解釈するためのみに用いられるべきであり、本発明を限定するものではない。
【００２５】
図１は本発明に係るＢＢＵ相互接続の応用場合を示し、図１において、基地局クラスターは、同一の物理的位置に置かれた複数のＢＢＵから構成され、その中、各ＢＢＵが主制御モジュール、交換モジュール、ベースバンド処理モジュール等を含む。各ＢＢＵが自身の交換モジュールに設置された光インタフェースを介して対応するラジオリモートユニット（ＲＲＵ）を接続して、ＢＢＵフレームを形成することができる。すべての主制御モジュールのＡｂｉｓ／Ｉｕｂインターフェースは、いずれも外部のイーサネット（登録商標）スイッチに接続され、制御シグナリングとサービスデータを伝送してスケジューリングするためのものである。
【００２６】
また、各ＢＢＵには隣接するＢＢＵフレームに相互接続される相互接続光インタフェースが設置され、これらの相互接続光インタフェースが順次接続されて、本発明のＢＢＵリングネットワークを形成する。
【００２７】
図２は複数のＢＢＵフレームの相互接続状況を示し、図２に示すように、各ＢＢＵフレームは、相互接続光インタフェースを介して順次接続して、それによって各ＢＢＵの交換モジュールが２つ以上の相互接続光インタフェースを使用して他のＢＢＵの交換モジュールと互いに接続して、フレーム間の共有のＩＱデータとクロック同期情報を転送するためのリングネットワークを構成する。
【００２８】
図３は本発明に係るワイヤレスソフト基地局におけるＢＢＵフレーム間のデータインタラクションの方法を示し、下記のステップを含む。
【００２９】
ＢＢＵ及びＲＲＵが含まれる各ＢＢＵフレームに、隣接するＢＢＵフレームを接続するための相互接続光インタフェースを設置し、具体的には、図１に示すように、相互接続光インタフェースを各ＢＢＵの交換モジュールに設置する。
【００３０】
図１、２に示すように、複数のＢＢＵフレームの各相互接続光インタフェースを順次接続して、フレーム間の共有のＩＱデータとクロック同期情報を転送するためのＢＢＵリングネットワークを形成する。
【００３１】
前記クロック同期情報を利用して、マスタースレーブ同期モードで前記ＢＢＵリングネットワークにおけるすべてのＢＢＵフレームのクロック同期を実現する。
【００３２】
各ＢＢＵフレームは、隣接するＢＢＵフレームからのベースバンドダウンリンクＩＱデータに対して転送マッピング処理を行った後、本ＢＢＵフレームのＲＲＵによってダウンリンク処理を行うように本ＢＢＵフレームのＲＲＵの光インタフェースに対応するロジック通路にマッピングする。
【００３３】
各ＢＢＵフレームは、本ＢＢＵフレームのＲＲＵのロジック通路のアップリンクＩＱデータに対して転送マッピング処理を行った後、隣接するＢＢＵフレームに転送してアップリンク処理を行うように本ＢＢＵフレーム相互接続光インタフェースに対応するロジック通路にマッピングする。
【００３４】
また、本発明の方法は、更に、各ＢＢＵフレームが隣接するＢＢＵフレームのＲＲＵからのアップリンクＩＱデータを、アップリンクマッピング処理を行った後、本ＢＢＵフレームのベースバンド処理モジュールに送信してアップリンクデータ処理を行うステップ、及び各ＢＢＵフレームが本ＢＢＵフレームのベースバンド処理モジュールから送信されたロジック通路のベースバンドダウンリンクＩＱデータを隣接するＢＢＵフレームに送信して処理するステップと、を更に含むことができる。
【００３５】
本発明に係るワイヤレスソフト基地局におけるＢＢＵフレーム間のデータインタラクションの方法は、本ＢＢＵフレームのロジック通路のベースバンドダウンリンクＩＱデータと、隣接するＢＢＵフレームからのベースバンドダウンリンクＩＱデータと、をアライメントするように、各ＢＢＵフレームが本ＢＢＵフレームのロジック通路のベースバンドダウンリンクＩＱデータに対してダウンリンク遅延処理を行うステップを更に含む。
【００３６】
上記のダウンリンク遅延処理ステップに使用される本ＢＢＵフレームベースバンドダウンリンクＩＱデータを遅延するためのダウンリンク遅延値は、隣接するＢＢＵフレームからのベースバンドダウンリンクＩＱデータが、光インタフェースフレーミング、光ファイバ伝送、光インタフェースデフレーミング及び転送ルーティング処理を行うことに用いられる時間の合計値に等しい。
【００３７】
本発明に係るワイヤレスソフト基地局におけるＢＢＵフレーム間のデータインタラクションの方法は、本ＢＢＵフレームロジック通路のアップリンクＩＱデータと、隣接するＢＢＵフレームからのアップリンクＩＱデータと、をアライメントするように、各ＢＢＵフレームが本ＢＢＵフレームのＲＲＵのロジック通路のアップリンクＩＱデータに対してアップリンク遅延処理を行うステップを更に含む。
【００３８】
上記のアップリンク遅延処理ステップに使用される本ＢＢＵフレームアップリンクＩＱデータを遅延するためのアップリンク遅延値は、隣接するＢＢＵフレームからのアップリンクＩＱデータが光インタフェースデフレーミング、転送ルーティング、光ファイバ伝送及び光インタフェースフレーミング処理を行うことに用いられる時間の合計値に等しい。
【００３９】
上記のアップリンク及びダウンリンク遅延処理は、通常にロジック層のキャッシュ遅延により実現され、このように本ＢＢＵフレームのアップリンク及びダウンリンク通路が隣接するＢＢＵフレームからのアップリンク及びダウンリンク通路のＩＱデータフレームにアライメントすることができる。
【００４０】
本発明のマスタースレーブ同期モードは、ＣＭＣＰの存在するＢＢＵフレームをマスタークロックフレームとし、他のＢＢＵフレームをスレーブクロックフレームとすることを含む。マスタークロックフレームとスレーブクロックフレームは、相互接続光ファイバを介してフレームヘッダ、フレーム番号及び補助情報が含まれる前記クロック同期情報を転送し、その中、前記補助情報が各段のＢＢＵの位相識別値情報とＵＭＴＳのプレート情報などを含み、各スレーブクロックフレームは、本ＢＢＵフレームと隣接するＢＢＵフレームのフレームヘッダ、フレーム番号情報に対して位相識別を行うことで、本ＢＢＵフレームと隣接するＢＢＵフレームのフレーム同期、フレーム番号の差異を測定し、その後、補助情報を利用して本ＢＢＵフレームのクロック同期を完了する。
【００４１】
また、各ＢＢＵフレームは、本ＢＢＵフレームのフレームヘッダパルスと、隣接するＢＢＵフレームからのフレームヘッダパルスの間のビート間隔を比較し、隣接するＢＢＵフレームのアップリンク及びダウンリンク通路のＩＱデータと、本ＢＢＵフレームのアップリンク及びダウンリンク通路のＩＱデータの相対遅延を測定することで、前記ダウンリンク遅延値と前記アップリンク遅延値を確定する。
【００４２】
図４は本発明に係るワイヤレスソフト基地局におけるＢＢＵフレーム間のデータインタラクションを実現する装置を示し、前記装置は、
ＢＢＵ及びＲＲＵが含まれる各ＢＢＵフレームに設置され、隣接するＢＢＵフレームを接続するための相互接続光インタフェースと、
各前記ＢＢＵフレームに設置され、前記相互接続光インタフェースを介して送信される隣接するＢＢＵフレームのベースバンドダウンリンクＩＱデータに対して転送マッピング処理を行った後、本ＢＢＵフレームのＲＲＵによってダウンリンク処理を行うように、本ＢＢＵフレームのＲＲＵの光インタフェースに対応するロジック通路にマッピングするためのベースバンドダウンリンクＩＱデータ転送マッピングモジュールと、
各前記ＢＢＵフレームに設置され、本ＢＢＵフレームのＲＲＵのロジック通路のアップリンクＩＱデータに対して転送マッピング処理を行った後、隣接するＢＢＵフレームに転送してアップリンク処理を行うように、前記相互接続光インタフェースに対応するロジック通路にマッピングするためのアップリンクＩＱデータ転送マッピングモジュールと、を備える。
【００４３】
図４に示すように、隣接するＢＢＵフレームのＲＲＵからのアップリンクＩＱデータは、前記相互接続光インタフェースを介して本ＢＢＵフレームのベースバンド処理モジュールに送信されてアップリンクデータ処理が行われ、及び本ＢＢＵフレームベースバンド処理モジュールから送信されたロジック通路のベースバンドダウンリンクＩＱデータは、前記相互接続光インタフェースを介して隣接するＢＢＵフレームに送信されて処理される。
【００４４】
また、本発明の装置は、各ＢＢＵフレームに設置され、本ＢＢＵフレームのＲＲＵのロジック通路のベースバンドダウンリンクＩＱデータを遅延して、本ＢＢＵフレームのロジック通路のベースバンドダウンリンクＩＱデータと、隣接するＢＢＵフレームからのベースバンドダウンリンクＩＱデータと、をアライメントするためのベースバンドダウンリンクＩＱデータ遅延モジュール（以下に図６を参照して詳しく説明する）と、各ＢＢＵフレームに設置され、本ＢＢＵフレームのＲＲＵのロジック通路のアップリンクＩＱデータを遅延し、本ＢＢＵフレームのロジック通路のアップリンクＩＱデータと、隣接するＢＢＵフレームからのアップリンクＩＱデータと、をアライメントするためのアップリンクＩＱデータ遅延モジュール（以下に図６を参照して詳しく説明する）と、を更に備えることができる。
【００４５】
本発明の装置は、各ＢＢＵフレームの相互接続光インタフェースに設置され、前記ＢＢＵリングネットワークにマスタースレーブ同期モードで前記ＢＢＵリングネットワークにおけるすべてのＢＢＵフレームのクロック同期を実現するためのクロック情報解析及び比較モジュールを更に備えることができる。
【００４６】
以下にＢＢＵを例として本発明の前記装置を詳しく説明する。
【００４７】
図５は本発明に係るＢＢＵの基本的な構造を示し、その中、ベースバンド処理モジュール０〜Ｍ、マッピングサブモジュール、光インタフェース０〜Ｎ及び光インタフェース０〜Ｐ−１は、従来のＢＢＵの部品に属するので、説明を省略する。光インタフェースＰ〜Ｎは、本発明に係るＢＢＵの交換モジュールに設置された相互接続光インタフェースであり、転送マッピングモジュールは、本発明の交換モジュールに設置されたモジュールであって、上記のアップリンクＩＱデータ転送マッピングモジュールとベースバンドダウンリンクＩＱデータ転送マッピングモジュールを含む。
【００４８】
図６は、本発明に係るＢＢＵの交換モジュールの細部を示す。下記の説明において、ＣＰＲＩ０、ＣＰＲＩ１、ＣＰＲＩ２、ＣＰＲＩ３、ＣＰＲＩ４、及びＣＰＲＩ５をそれぞれ光インタフェース０、光インタフェース１、光インタフェース２、光インタフェース３、光インタフェース４及び光インタフェース５と略称し、その中、光インタフェース４〜５は、図５の相互接続光インタフェースＰ〜Ｎに対応し、光インタフェース０〜３は、図５の光インタフェース０〜Ｐ−１に対応し、光インタフェース０〜５は、図５の光インタフェース０〜Ｎに対応する。
【００４９】
図６に示すように、交換モジュール内の転送ルーティングロジックは、データの流れ方向に従ってダウンリンク（細い破線と粗い点線で表される）とアップリンク（細い実線と粗い実線で表される）の２つ部分に分けられる。ダウンリンク方向に、隣接するＢＢＵフレームのベースバンドダウンリンクがマッピングした後のデータが、相互接続光インタフェース４〜５を介して受信された後、本ＢＢＵフレームのダウンリンク転送マッピングサブモジュールにＣＰＵの配置情報に基づいてフレーミングされて本ＢＢＵフレームに接続されたＲＲＵの指定された光インタフェース０〜３に送信されることが示される。
【００５０】
アップリンク方向に、ＲＲＵを接続する光インタフェース０〜３でアップロードされるユーザデータを、転送マッピングサブモジュールにＣＰＵのアップリンク転送構成によって、相互接続光インタフェース４〜５に対応するロジック通路にマッピングし、隣接するＢＢＵフレームの交換モジュールに伝達した後、アップリンクマッピングして対応するベースバンド処理モジュール（ＢＰ０〜ＢＰＸ）に二回マッピングして処理することが示される。
【００５１】
相互接続される各ＢＢＵフレームの間のクロックに対して、マスタースレーブ同期モードを採用し、ＣＭＣＰの存在するＢＢＵフレームがマスタークロックフレームとし、他のＢＢＵフレームがスレーブクロックフレームとする。ソフトウェアによってマスタースレーブを配置し、マスターとして配置する場合、クロック同期は、単一の基地局と合致し、スレーブクロックがマスタークロックと同期する。ＣＭＣＰは、クラスターの各スレーブクロックフレームのＢＢＵのクラスタークロックチェーンでの位置を指定すること、及び、各スレーブクロックフレームのＢＢＵが対応する交換モジュールのどの光インタフェース、例えば光インタフェース４／光インタフェース５に受信された信号からクロックを抽出するかを指定することが含まれる、ＢＢＵクラスターのクロックトポロジーへの管理及び維持を、担う。
【００５２】
ＢＢＵクラスターのマスタースレーブとクロックフレームが相互接続光ファイバを介して転送するクロック同期情報は、Ｆｓｙｎｃ情報（１０ｍｓのフレームヘッダＦｒとフレーム番号）と補助情報（各段のＢＢＵの位相識別値情報とＵＭＴＳのプレート情報など）を含む。図７に示すように、その中、実線は外部クロックの参考源を表し、点線はＢＢＵグループのクロック転送経路を表し、破線はＩＱデータ転送経路を表し、補助情報の転送経路がＩＱ転送と類似する。
【００５３】
クロックの抽出と同期は、主に位相識別の方式で交換モジュールのポートにロジックで実現され、位相識別の両方はそれぞれ本ＢＢＵフレームとカスケード接続された上段のＢＢＵフレームのＦｓｙｎｃに関連する情報である。位相識別が完了した後、交換モジュールは、測定された本ＢＢＵフレームと隣接するＢＢＵフレームのフレーム同期、フレーム番号の差異、及び受信された補助情報を主制御モジュールに送信して、主制御モジュールの間の同期アルゴリズムに用いる。交換モジュールの動作マスタークロックとＦｓｙｎｃ情報も主制御モジュールより提供されるので、スレーブクロックフレームにとって、この位相識別の閉ループのフィードバックメカニズムにより、当該ＢＢＵフレームのクロックとフレーム番号が上段のＢＢＵフレームと同期することができる。
【００５４】
位相識別信号：上段のＢＢＵフレームが光ファイバを介して本段のＢＢＵフレーム交換モジュールに転送する８０ｍｓ信号と本段のＢＢＵの主制御モジュールから交換モジュールに転送される８０ｍｓ信号であって、８０ｍｓ信号は、Ｆｓｙｎｃ信号に基づいて、Ｆｓｙｎｃ  １０ｍｓの周期フレーム情報モールド８の方式で生成される。位相識別のためのカウンタ周波数：１２２．８８ＭＨｚ以上である。例えば、１２２．８８Ｍの位相識別周波数を選択する場合、上記の方法と組み合わせて、１６段のＢＢＵカスケード接続フレームの間のクロック同期を保証できる。また、異なる位相識別信号周期と位相識別周波数精度を選択することにより、クロック同期の場合で、異なる段のＢＢＵカスケード接続フレームに拡張することができる。
【００５５】
隣接するＢＢＵフレームの間のデータフレームをアライメントすることは、遅延測定とキャッシュ補償の方式で実現される。本フレームのＦｒパルス（例えば１０ｍｓのフレームヘッダ）とフレームをクロスしたＦｒパルスの間のビート間隔を比較し、クロスフレームのデータを通じた経路の遅延を計算することにより、フレームをクロスしたアップリンク及びダウンリンク通路のＩＱデータと、本フレームのアップリンク及びダウンリンク通路のＩＱデータの相対遅延を測定することができる。
【００５６】
Ｆｒパルスは、ＢＢＵフレーム間のフレーム同期の基準であり、各ＢＢＵフレームの交換モジュールにアライメントされるものであり、隣接するＢＢＵフレームに転送される場合、光インタフェース即ちＣＰＲＩ受送信クロックドメインの切り替えまたはチップヘッドのアライメントのキャッシュ、高速シリアルトランシーバ及び光ファイバ伝送の経路を通じて遅延する時に、これらの経路遅延は、本ＢＢＵフレームの交換モジュールのＦｒと受信された、ＢＢＵフレームをクロスしたＦｒパルスの時刻差値を比較することにより得られる。
【００５７】
クロスフレームのベースバンドダウンリンクＩＱデータの相対遅延値Ｔｄｌ＿ｉｑ＿ｄｅｌａｙは、ＣＰＲＩ即ち光インタフェースフレーミングの処理遅延＋Ｆｒの差値＋ＣＰＲＩ即ち光インタフェースフレーミング＋ダウンリンク転送マッピングサブモジュールの遅延を含む。図６に示すように、クロスフレームのアップリンクＩＱデータの相対遅延値Ｔｕｌ＿ｉｑ＿ｄｅｌａｙは、アップリンク転送マッピングサブモジュールの遅延＋ＣＰＲＩ即ち光インタフェースでフレーミングする遅延＋Ｆｒの差値＋ＣＰＲＩでアップリンクマッピングにデフレーミングする処理遅延を含む。
【００５８】
得られるクロスフレームのベースバンドダウンリンクＩＱデータの相対遅延値Ｔｄｌ＿ｉｑ＿ｄｅｌａｙによって、本ＢＢＵフレームのベースバンドダウンリンクＩＱデータに対して同じ値のキャッシュ処理を加えて、本ＢＢＵフレームと隣接するＢＢＵフレームベースバンドからのベースバンドダウンリンクＩＱデータをアライメントさせる。図６に示すように、クラスターモードにおいて、本ＢＢＵフレームのベースバンドダウンリンクＩＱデータは、ダウンリンクマッピング処理が行われた後、更にキャッシュされ、隣接するＢＢＵフレームからのベースバンドダウンリンクＩＱデータと結合する。
【００５９】
得られるクロスフレームアップリンクＩＱデータの相対遅延値Ｔｕｌ＿ｉｑ＿ｄｅｌａｙによって、本ＢＢＵフレームのＲＲＵアップリンクのＩＱデータに対して同じ値のキャッシュ処理を加えて、本ＢＢＵフレームと隣接するフレームのＲＲＵからのアップリンクＩＱデータをアライメントさせる。図６に示すように、クラスターモードにおいて、本ＢＢＵフレームのＲＲＵのアップリンクＩＱデータは、光インタフェースでデフレーミングされた後、更にキャッシュして遅延され、隣接するＢＢＵフレームからのアップリンクデータと一緒にアップリンクで二回マッピング処理されて、各経路の対応するベースバンドプレートにマッピングされる。
【００６０】
本発明は、ＢＢＵフレーム間の無線フレーム同期とアップリンク及びダウンリンクデータ交換を実現でき、複数のサイトの合併と管理のために基礎を提供する。マルチモードのＢＢＵフレームの既存の交換モジュール処理ロジックに基づいてロジックとソフトウェアをアップグレードすることで、余分なボードハードウェアリソースを占有することなく、ＢＢＵフレーム間の情報同期とベースバンドリソース共有を実現することができる。
【００６１】
本発明によれば、相互接続モードでＢＢＵフレーム間の接続と転送処理による遅延の不一致を完全に補正し、本ＢＢＵフレームと隣接するＢＢＵフレームのアップリンク及びダウンリンク通路のＩＱデータとの完全なアライメントと同期を実現し、ＢＢＵがカスケード接続された場合のシステムレベルのサービススケジューリングとリアルタイムデータ通信のために根本的な基礎と基本的な保障を提供することができる。
【００６２】
以上、本発明の実施の形態について詳細に説明したが、本発明はこれに限定されるものではない。当業者は、本発明の原理に基づいて様々な修正を行うことができる。従って、本発明の原理に従って行われた変更修正は、すべて本発明の保護範囲内に含まれると理解されるべきである。
【図１】
0006388585.tif 000002
【図２】
0006388585.tif 000003
【図３】
0006388585.tif 000004
【図４】
0006388585.tif 000005
【図５】
0006388585.tif 000006
【図６】
0006388585.tif 000007
【図７】
0006388585.tif 000008